(57)【要約】【課題】濡れた傘の水分を効率よく絞って排除し、かつ傘の布を軸に巻きつけ、更に、開かないよう結束する。【解決手段】中央に傘Ａを挿入する空間を開設した上部回転体２０と、上部回転体２０の下方に設けて、中央に傘を挿入する空間を開設した下部回転体２１と、その回転体と上下して、単数或いは複数個の結束機１０を取付ける。傘Ａを挿入し、上部回転体２０と下部回転体２１を同一方向に、或いはその後に逆方向に回転して、傘Ａを絞って巻きつける。結束機１０を作動して、傘Ａの周りをテープ１２などによって結束する。【選択図】図１
2008275235.tif 000002
【特許請求の範囲】
【請求項１】
中央に傘を挿入する空間を開設した上部回転体と、
前記上部回転体の下方に設けるとともに、中央に傘を挿入する空間を開設した下部回転体と、
前記回転体と上下して、単数或いは複数個取付けられた結束機とからなり、
該上部回転体と該下部回転体を逆方向に回転させて傘を絞って傘の軸に巻きつけるようにするとともに、
前記結束機によって傘を周囲から結束するよう構成したことを特徴とする、
傘の脱水、巻きつけ装置。
【請求項２】
中央に傘を挿入する空間を開設した上部回転体と、
前記上部回転体の下方に設けるとともに、中央に傘を挿入する空間を開設した昇降可能な下部回転体と、
前記回転体と上下して、単数或いは複数個取付けられた結束機とからなり、
前記上部回転体及び前記下部回転体を同一方向に回転させながら該下部回転体を傘の延伸方向下方へ降下させ、
次に該上部回転体の回転を停止させるとともに該下部回転体を降下時と逆方向に回転させながら上昇させることにより、傘を絞って傘の軸に巻きつけるようにするとともに、
前記結束機によって傘を周囲から結束するよう構成したことを特徴とする、
傘の脱水、巻きつけ装置。
【請求項３】
中央に傘を挿入可能として傘挿入時に水切りを可能とした水切り体と、
前記水切り体の下方に設けるとともに、中央に傘を挿入する空間を開設した昇降可能な回転体と、
前記水切り体と上下して、単数或いは複数個取付けられた結束機とからなり、
前記回転体を回転させながら傘の延伸方向下方へ降下させ、次に該回転体を降下時と逆方向に回転させながら上昇させることにより、傘を絞って傘の軸に巻きつけるようにするとともに、
前記結束機によって傘を周囲から結束するよう構成したことを特徴とする、
傘の脱水、巻きつけ装置。
【請求項４】
中央に傘を挿入する空間を開設し、回転可能に構成した柱状体と、
柱状体の上方に取付けた結束機とからなり、
前記柱状体の前記空間に傘を挿入後、傘の先端を固定させた状態で該柱状体が回転することにより、傘を絞って傘の軸に巻きつけるようにするとともに、
前記結束機により傘を結束するように構成したことを特徴とする、
傘の脱水、巻きつけ装置。
【発明の詳細な説明】
【技術分野】
【０００１】
本発明は、傘の脱水、巻きつけ装置に関するものである。
【背景技術】
【０００２】
多数の人の集まる施設では、雨天の際に濡れた傘を持ったまま入ると、床が濡れてしまい、危険でありかつ見た目にも不快感を与える。
ビニール袋に挿入する方法も利用されているが、使用済みの袋が散乱しやすく、美感を損ねやすい。
そのために袋でカバーするのではなく、雨傘の布から水分を脱水する装置が開発されている。
【特許文献１】特開平６−１２９７６４号公報
【特許文献２】特開平７−２８９３３３号公報
【特許文献３】特開平９−２６２１１３号公報
【特許文献４】特開平１１−２０１６３８号公報
【特許文献５】特開平１１−２９４９５０号公報
【特許文献６】特開２００１−２０４５２７号公報
【特許文献７】特開２００１−２６３９３９号公報
【特許文献８】特開２００１−３１７８７０号公報
【発明の開示】
【発明が解決しようとする課題】
【０００３】
前記した従来の雨傘の脱水装置は、圧縮空気で水滴を吹き飛ばすか、高吸水性の材料で水滴を吸収する構成を採用している。
そのために圧縮空気で吹き飛ばす構成では、強力なファンが必要で不経済であり、かつ騒音の発生も避ける事ができない。
また高吸水性の材料で水滴を吸収する構成では、吸水量に限界があり、かつ使用者が繰り返し吸収材料に傘を押し付ける必要があり、多数の傘を迅速に脱水するためには非効率的である。
また、いずれの構造のものであっても、脱水後の傘は開いたままであり、巻き取ることはできず、しかも、傘が開かないよう結束することはできなかった。
【課題を解決するための手段】
【０００４】
本発明にかかる傘の脱水、巻きつけ装置は、
中央に傘を挿入する空間を開設した上部回転体と、
前記上部回転体の下方に設けるとともに、中央に傘を挿入する空間を開設した下部回転体と、
前記回転体と上下して、単数或いは複数個取付けられた結束機とからなり、
該上部回転体と該下部回転体を逆方向に回転させて傘を絞って傘の軸に巻きつけるようにするとともに、
前記結束機によって傘を周囲から結束するものである。
【０００５】
また、本発明にかかる他の傘の脱水、巻きつけ装置は、
中央に傘を挿入する空間を開設した上部回転体と、
前記上部回転体の下方に設けるとともに、中央に傘を挿入する空間を開設した昇降可能な下部回転体と、
前記回転体と上下して、単数或いは複数個取付けられた結束機とからなり、
前記上部回転体及び前記下部回転体を同一方向に回転させながら該下部回転体を傘の延伸方向下方へ降下させ、
次に該上部回転体の回転を停止させるとともに該下部回転体を降下時と逆方向に回転させながら上昇させることにより、傘を絞って傘の軸に巻きつけるようにするとともに、
前記結束機によって傘を周囲から結束するものである。
【０００６】
更に、本発明にかかる傘の脱水、巻きつけ装置は、
中央に傘を挿入可能として傘挿入時に水切りを可能とした水切り体と、
前記水切り体の下方に設けるとともに、中央に傘を挿入する空間を開設した昇降可能な回転体と、
前記水切り体と上下して、単数或いは複数個取付けられた結束機とからなり、
前記回転体を回転させながら傘の延伸方向下方へ降下させ、次に該回転体を降下時と逆方向に回転させながら上昇させることにより、傘を絞って傘の軸に巻きつけるようにするとともに、
前記結束機によって傘を周囲から結束するものである。
【０００７】
更に、本発明にかかる傘の脱水、巻きつけ装置は、
中央に傘を挿入する空間を開設し、回転可能に構成した柱状体と、
柱状体の上方に取付けた結束機とからなり、
前記柱状体の前記空間に傘を挿入後、傘の先端を固定させた状態で該柱状体が回転することにより、傘を絞って傘の軸に巻きつけるようにするとともに、
前記結束機により傘を結束するものである。
【発明の効果】
【０００８】
本発明の雨傘の脱水、巻きつけ装置は、以上説明したようになるから次のような効果を得ることができる。
＜ａ＞傘の布に直接に外力を加えて、あたかも雑巾を絞るように水分を絞り取る機構、方法を採用している。そのために、従来のように周囲から間接的に圧縮空気を吹き付ける構成、方法と比較して効率よく十分な脱水を行うことができる。
＜ｂ＞傘の布を絞る過程で、傘の布を周囲からしっかりと巻きつける構成、方法を採用している。そのために、水分を絞り取った後には、広がっていた傘の布が整然と巻きついた状態で取り出すことができる。
＜ｃ＞結束機を備えているため、巻きつけた傘を周囲から自動的に結束して、その傘が開かないように簡単に仮止め出来、濡れた傘布が開いて洋服などに雨滴がつくなどの問題を解消し、持ち運びも非常に楽になる。
【実施例１】
【０００９】
＜１＞基台
本発明の傘の脱水、巻きつけ装置Ｂの第１実施例を、図１及び図２に示す。
適宜離隔して起立する四本の柱体２の上端から下端に、適宜間隔づつ離れて六枚の水平な第１板材３〜第６板材８が取付けられた基台１が組まれている。
第１板材３〜第５板材７には、中央に傘Ａを通すための貫通孔９が、形成されている。
【００１０】
＜２＞結束機
基台１の第２板材４と第４板材６の上には、結束機１０が設置されている。
結束機１０は、自動的に傘Ａの周囲にテープを巻きつけて結束する装置であって、その基本的な構成は、図１０及び図１１に示してある。
結束機１０のケース１１は、巻き取った吸水性のテープ１２を備え、そのテープ１２は、ケース１１の中をガイドされて、円弧形状のテープ誘導部材１３の先端のクランパ１９によって自動的にクランプされる。
テープ誘導部材１３の基端部は、ガイド片１４に沿って進退するピストン１５に軸留めされている。ピストン１５は、ラック・ピニオンなどの公知の機構によって進退する。
テープ誘導部材１３の先端には、刃１６が設けられており、ピストン１５がテープ誘導部材１３側に移動したとき、テープ誘導部材１３は円弧状のガイド１７にガイドされて回転するように突出する。
ケース１１に設けてある糊塗布部１８にてテープ１２に糊を塗布し、傘Ａの周囲に巻きついたテープ１２を、テープ誘導部材１３の先端の刃１６と、ケース１１の刃３０によって切断する。
前記したテープ１２の切断前に、テープ誘導部材１３の先端のクランパ１９が、一旦離したテープ１２の切断部分よりも巻取り側を掴み直しておく。
ピストン１５が後退し、テープ１２をクランパ１９で掴んだ状態で、テープ誘導部材１３も後退し、再びテープ１２の巻きつけ開始位置に戻る。
結束機１０としては、これら機構に限らず、公知の結束機構が採用可能である。
また、第１実施例では、後に述べる各回転体２０・２１の上にそれぞれ設置してあるが、１台を回転体２０・２１と上下して、いずれかに設けるのでもよい。
結束機１０に使用するテープ１２は、傘の脱水、巻きつけ装置の下方に設置する結束機１０には、上方に設置された結束機１０よりも吸水性の高いテープ１２を使用する。
【００１１】
＜３＞回転体
基台１の第３板材５上には、回転可能な円柱形状の上部回転体２０が、第５板材７上には、同じく円柱形状の下部回転体２１が設置されている。
いずれの回転体２０・２１も、モーター２２によって回転可能である。
回転体２０・２１には、中心に、上下に貫通する貫通孔２３をそれぞれ備えている。
【００１２】
＜４＞脱水、巻きつけ、結束
傘Ａを基台１の貫通孔９や回転体２０・２１の貫通孔２３を貫通させて、上から下ろす。
傘Ａが降りたとき、上部回転体２０と下部回転体２１が互いに逆方向に回転し、傘Ａを絞り、脱水する。
傘Ａを絞り切った後、結束機１０のピストン１４が移動して、テープ誘導部材１３が突出し、テープ１２を傘Ａの周囲に巻きつけ、糊の塗布、付着した部分近くの切断を行い、巻きつけた傘Ａを束ねる。
巻きつけた傘Ａがテープ１２によって開くことなく、持ち運びや収納がやり易くなる。
また、テープ１２は吸水性であるため、雨水を吸収して、より傘Ａから水が滴り落ちたりするのを防ぐ。
【実施例２】
【００１３】
＜５＞昇降する下部回転体
本発明の第２実施例を図３〜図５に示す。本実施例は、上下に配置された上部回転体２０と下部回転体２１から構成された傘の脱水、巻きつけ装置Ｂに関するものである。
上部回転体２０及び下部回転体２１は、夫々の中央（又は中央付近）に傘Ａを挿入可能な空間を開設して構成される。各回転体は、モーター２２とベルトを介して回転力を受けて回転可能に構成してある。
下部回転体２１は傘Ａの延伸方向に降下、上昇できる構成とする。例えば、基台１の下部板材２４上に下部回転体２１を回転可能に設置し、当該下部板材２４の四方隅角部に形成した孔２５に柱体２を通し、柱体２を案内にして下部板材２４（及び下部回転体２１）が降下、上昇できる構成とする。
下部板材２４（及び下部回転体２１）の降下及び上昇は、下部板材２４、又は下部板材２４に並設した駆動モーター支持板３１の下方に公知のリンク機構を設置したり、鉛直方向に伸張、短縮する油圧ジャッキを設置したり、あるいはモーターの回転によって鉛直方向にスライドするラックとピニオンの組合せ機構からなる公知の装置を設置することにより実現できる。
【００１４】
＜６＞結束機
上部回転体２０の上方には、第２板材４上に、結束機１０が取付けられている。
結束機１０は、上部回転体２０の下方にも設けることが可能である。
【００１５】
＜７＞上部回転体および下部回転体
上部回転体２０及び下部回転体２１は、夫々の中央（又は中央付近）に傘Ａを挿入可能な空間を開設して構成される。
回転体２０・２１の中央に開設する空間の平面視形状は任意に選定できるが、例えば傘Ａを閉じた際に傘Ａを構成する各骨が夫々収まるような星型又は円の半径外側方向に鋭角な突起（微視的には傘Ａの表面を傷めないように曲率をもって成形するのが好ましい）を備えた突起部を円周方向にわたって複数備えた形状とすることができる。（図３）
また、上部回転体２０の空間寸法に比べて下部回転体２１の空間寸法を小さく製作することによって、脱水効果を高めることもできる。
上部回転体２０及び下部回転体２１の空間を構成する傘Ａと接する内空面には水分の吸収性の高い材料を取り付けることで脱水効果を一層高めることができる。
上部回転体２０及び下部回転体２１は、夫々第３板材５及び下部板材２４の上で回転可能に取り付けるのが好ましい。
また、上部回転体２０及び下部回転体２１は、上方の板材５及び下部板材２４に並設した駆動モーター支持板３１上に設けた駆動モーター２２と、ベルトを介して連動可能に構成できる。
【００１６】
＜８＞傘の脱水、巻きつけ
本実施例では、傘Ａを上部回転体２０及び下部回転体２１の空間内に差し込んだ後、まず上部回転体２０と下部回転体２１が同一方向に回転する。（図３）
回転した状態で下部回転体２１は、上記する公知の昇降機構によって降下し、傘Ａの先端付近まで傘Ａの布に付着した雨水を脱水する。
下部回転体２１が傘Ａの下端付近に到達したら、上部回転体２０の回転を停止させ、下部回転体２１を降下時と逆方向に回転させながら上昇させる。（図４）
このように下部回転体２１の降下時と上昇時で回転方向を逆転させることで、傘Ａの骨の左右の布表面に付着している雨水をほぼ完全に脱水することが可能となる。下部回転体２１の回転上昇に伴って傘Ａも上方へ持ち上げられ、下部回転体２１が上部回転体２０の近傍まで上昇し停止した後、脱水された傘Ａは、軸に巻きつけられる。（図５）。
【００１７】
＜９＞結束
傘Ａの巻きつけが終了した段階で、結束機１０を作動して、傘Ａの上部を結束する。
傘Ａを傘の脱水、巻きつけ装置Ｂに差し込んだ後、上記する上部回転体２０及び下部回転体２１の同一方向への回転、下部回転体２１の降下、その後の上部回転体２０の停止と下部回転体２１の逆方向への回転、結束及び上昇という一連の動作は、マイクロコンピューターにプログラム入力して、一連の操作を自動化する公知の回路を備えて構成することで制御可能となる。
【００１８】
＜１０＞スイッチ
なお、傘Ａを傘の脱水、巻きつけ装置Ｂに差し込んだ後にかかる装置を作動させるのは、傘の脱水、巻きつけ装置Ｂの下部側面の外側に足踏み板を露出させ、足踏み板を踏むことにより回路にスイッチが入る構成としたり、傘の脱水、巻きつけ装置Ｂの上部の側面にスイッチを備えて構成するなど、多様に選定できる。
【００１９】
＜１１＞排水
傘の脱水、巻きつけ装置Ｂの下方には、例えば絞り取った雨水を一時的に蓄えておくバケツなどを設置しておくのがよい。設置場所によっては、排水パイプを備えたバケツを設置し、排水パイプを介して付近の雨水側溝に排水可能とすることもできる。
【実施例３】
【００２０】
以下、図６〜図７を参照しながら、本発明の第３実施例について説明する。
＜１２＞水切り
この実施例では、中央に傘Ａを挿入可能とし、傘Ａの挿入時に傘Ａ表面に付着した雨水を水切りする水切り体２６と、その下方には、中央に傘を挿入する空間を開設した下部回転体２１が、板材２４上に回転可能に取り付けてある。
水切り体２６については、後に詳述する。
回転体２１の上の第２板材４上には、結束機１０が設置されている。
回転体２１は、駆動モーター２２によって回転可能とする。
傘Ａを水切り体２６に差し込んで第一回目の脱水をおこないながら回転体２１の空間に差し込んだ後、回転体２は回転しながら傘Ａの延伸方向下方へ降下させる。（図７）。
回転体２が傘Ａの下端付近まで到達した後、回転体２は降下時と逆方向へ回転しながら上昇していく。（図８）
かかる上昇時には傘Ａを一緒に持ち上げることができる。回転体２１が水切り体２６の付近まで上昇し停止した後は、容易に傘Ａの取り出しが可能となる（図６参照）。
水切り体２６による脱水と、回転体２による脱水により効率的な脱水をおこなうことができ、また回転体２の回転作用によって傘Ａの巻きつけも可能となる。
また、上記する実施例と比較して、回転体２は原則として一基取り付けるのみでよいため駆動モーター２２も一基でよく、したがって装置製作にかかる費用の低減につながり得る。
【００２１】
＜１３＞結束
回転体２１が停止した後、結束機１０が作動して、傘Ａの上部をテープ１２によって結束する。
ここで傘Ａを持ち上げれば、巻きつけた傘Ａが開くことなく、そのまま持ち運んだり、収納できることになる。
結束機１０は、回転体２１の下方に設けることも可能である。
【００２２】
＜１４＞水切り体
上記した水切り体２６は、傘の脱水、巻きつけ装置１の上部に設置するもので、回転体２による脱水に先行して最初に雨水の脱水をおこなう、装置の構成部材である。
水切り体２６は、平面視外形が例えば円形または矩形、多角形の枠体の内部に、その中心方向に伸びた水切り部材２７を複数取り付けて構成できる。ここで、水切り部材２７としては、例えばブラシや吸水性及び可撓性のある板材などによって構成できる。
回転体２１が回転しながら降下、上昇する際には、傘Ａの上部付近を水切り体２６で固定支持させるため、回転体２１の回転によっても、傘Ａが容易に回転しない程度の締め付け力、すなわち所要の硬さを備えた材質の水切り体２６を使用するのがよい。
【実施例４】
【００２３】
図９を参照しながら、本発明の第４実施例について説明する。
＜１５＞柱状体
第４実施例は、中央に傘Ａを挿入する空間を開設し、回転可能な柱状体２８から構成される傘の脱水、巻きつけ装置Ｂに関するものである。
ここで、柱状体２８は、例えば傘Ａの長さ程度の延長の円柱体の中央に、平面視が星型又は円の半径外側方向に鋭角な突起を備えた突起部を円周方向にわたって複数備えた形状の空間を備えて製作できる。また、空間の寸法は下方へ向かって徐々に小さな寸法となるように製作するのが好ましい。
また、柱状体２８の空間表面には水分の吸収性の高い材料を取り付けることで脱水効果を一層高めることができる。
柱状体２８は、上記する実施例と同様板材上に回転可能に取り付け、該板材に並設したモーター２２とベルトを介して連動可能とした構成とするのがよい。
【００２４】
＜１６＞結束機
柱状体２８の上方に位置する第２板材４上には、結束機１０が取付けられている。
【００２５】
＜１７＞脱水、巻きつけ
傘Ａを空間内に差込みながら柱状体２８を回転させることができる。この場合は、所定レベルまで傘Ａを挿入した時点で柱状体２８の空間に備えたセンサーが傘Ａを感知して柱状体２８の回転が作動する構成とすることができる。
傘の脱水、巻きつけ装置Ｂの下端には、傘Ａの先端を固定可能な先端固定具２９が備えられている。
この先端固定具２９に傘Ａの先端が固定された時点で、先端固定具２９と連通した駆動モーター２２の作動スイッチが入る構成とすることもできる。
この場合は、傘Ａの先端で傘Ａを固定した状態で脱水及び巻きつけをおこなうこととなる。
【００２６】
＜１８＞結束
巻きつけが終わった時点で、結束機１０が作動し、テープ１２によって、傘Ａを周囲から結束する。
【図面の簡単な説明】
【００２７】
【図１】本発明の第１実施例で、上下回転体による脱水作動の斜視図である。
【図２】第１実施例で、結束した傘を取出す斜視図である。
【図３】本発明の第２実施例で、上部回転体及び下部回転体が同一方向に回転し、下部回転体が降下する前の斜視図である。
【図４】第２実施例で、下部回転体が上昇する状態を示した斜視図である。
【図５】第２実施例で、下部回転体が上昇して傘を結束した斜視図である。
【図６】本発明の第３実施例で、回転体が回転しながら降下している状態の斜視図である。
【図７】第３実施例で、回転体が上昇している状態の斜視図である。
【図８】第３実施例で、回転体が上昇して脱水、巻きつけ、結束が完了した状態の斜視図である。
【図９】本発明の第４実施例で、柱状体が回転している状態の斜視図である。
【図１０】結束機の内部機構を示す説明図である。
【図１１】結束機が駆動して結束する状態を示す説明図である。
【符号の説明】
【００２８】
Ａ・・・・傘
Ｂ・・・・傘の脱水、巻きつけ装置
１・・・・基台
２・・・・柱体
３，４，５，６，７，８・・・・板材
９・・・・貫通孔
１０・・・結束機
１２・・・テープ
１３・・・テープ誘導部材
２０・・・上部回転体
２１・・・下部回転体
２２・・・モーター
２６・・・水切り体
２８・・・柱状体
【図１】
2008275235.tif 000003
【図２】
2008275235.tif 000004
【図３】
2008275235.tif 000005
【図４】
2008275235.tif 000006
【図５】
2008275235.tif 000007
【図６】
2008275235.tif 000008
【図７】
2008275235.tif 000009
【図８】
2008275235.tif 000010
【図９】
2008275235.tif 000011
【図１０】
2008275235.tif 000012
【図１１】
2008275235.tif 000013